(57)【要約】      （修正有）【課題】横筋が左右型枠間の中心からずれていたとしても、このずれを修正しながら保持することができ、鉄筋の保持作業を行う際に、一緒にコンクリート表面の水平出しを行うことができる鉄筋の位置調整具を提供する。【解決手段】板状の部材１Ａからなり、長さ方向における型枠内面に接触する側の面１ａを、上面１ｃに対して直角になすと共に、長さ方向における鉄筋における横筋に接触する側の面１ｂを、上面１ｃに比して下面１ｄの長さが短くなるよう、所要角度θに傾斜させる。また、上面１ｃの適宜の位置に、上面１ｃと直角に、所要の長さを有するコンクリートレベル出し具３を高さ調整可能に装着し、更に幅方向に貫通する穴２を所要数設ける。【選択図】図１
0003159371.tif 000002
【実用新案登録請求の範囲】
【請求項１】
所要の長さ、幅並びに高さを有する板状の部材からなり、長さ方向における型枠内面に接触する側の面を、上面に対して直角になすと共に、長さ方向における鉄筋における横筋に接触する側の面を、上面に比して下面の長さが短くなるよう、所要角度に傾斜させてなるコンクリート打設時の鉄筋の位置調整具。
【請求項２】
上面の適宜の位置に、上面と直角に、所要の長さを有するコンクリートレベル出し具を高さ調整可能に装着してなる請求項１記載ののコンクリート打設時の鉄筋の位置調整具。
【請求項３】
幅方向に貫通する穴を所要数設けてなる請求項１又は２記載のコンクリート打設時の鉄筋の位置調整具。
【考案の詳細な説明】
【技術分野】
【０００１】
本考案は、コンクリート打設時において左右型枠間の最良の位置に、即ち左右のコンクリートの被り厚が極力均等になるように型枠間の中心に鉄筋を保持するための鉄筋の位置調整具に関するものである。
【背景技術】
【０００２】
建築物の基礎等を形成する際におけるコンクリートの打設は、左右型枠間の最良の位置、即ち左右のコンクリートの被り厚が極力均等になるよう鉄筋を保持した状態において行わなければならない。即ち、鉄筋、特に横筋の位置は、左右型枠間の中心に位置することが望ましい。それは、若しこのような状態にない場合、即ち横筋の左右のコンクリートの被り厚が均等でない場合には、被り厚の少ない一方側において被り厚が５０ｍｍ以下になると水平クラックが発生し易くなり、そしてこの水平クラックが発生すると、コンクリートの外周面の補修作業に多大な手間と時間を要すると共にコンクリートの強度の低下も惹起することになるからである。
【０００３】
また、この水平クラックが発生する原因は必ずしも判然としないが、コンクリートの打設時にではなく、打設後に水の上昇に伴って骨材と砂とセメントが沈下する際に、横筋の上部側においては該横筋が存在することから沈下の障害となるが、横筋の下部側においては沈下の障害となるものが存在しないことによる沈下率の差ができ、また横筋と型枠との間隔が５０ｍｍ以下という間隔が狭い状態において最大寸法が２０ｍｍと大粒の粗骨材が横筋の横を沈下するとき、横筋の横を通過する前と後とで沈下率に差ができることになり、これらの骨材と砂とセメントの横筋の上下における沈下率の差が水平クラックを発生させる原因であると考えられる。
【０００４】
このようなことから、水平クラックの発生を防止するためには、コンクリートの被り厚をできるだけ大きくする必要があり、そして横筋を左右型枠間の中心に位置させるようにすれば、横筋の左右のコンクリートの被り厚を均等にすることができ、然も夫々最大の被り厚とすることができにものである。尚、アンカーボルトを埋め込む場合においては、これは不可能であるが、その場合でも極力中心に近い位置に位置させることが望ましい。
【０００５】
ところで、建築作業現場における型枠の組み付けや配筋作業は、一般的に大雑把な作業になり易い。このため鉄筋における横筋が左右型枠間の中心からずれていることも多い。然るに、従来このずれを修正しながら保持する適宜の手段が存在しなかった。
【０００６】
また、コンクリートを打設するときには、その表面を水平に形成する必要がある。そして、このための道具としてコンクリートレベル出し具がある。
【０００７】
該コンクリートレベル出し具は、一般的に下端をコンクリートに差し込む本体部と、該本体部に高さ調節自在に螺装したレベル出し部とからなり、鉄筋の位置調整具とは全く別部材の道具として構成されている。そして、鉄筋の位置調整具を用いて鉄筋を保持した型枠内に打設したコンクリート上の複数箇所に本体部を差し込んで設置し、各コンクリートレベル出し部の上端が所定の高さになるように調整し、その後二次コンクリートを打設するものである。そして、これにより表面が水平な建築構造物を得ることができるものである。
【０００８】
しかし、従来のコンクリートレベル出し具によると、それは鉄筋の位置調整具とは全く別の道具であり、別体であるから鉄筋の位置調整具による左右型枠間への鉄筋の保持作業と、コンクリートレベル出し具を用いたコンクリート表面の水平出しを行う作業とは、間をあけて別々に行わなければならない。また、コンクリートの打設も２回に分けて行わなければならない。したがって、作業に多大な手間と時間がかかり、能率が悪かった。
【考案の概要】
【考案が解決しようとする課題】
【０００９】
本考案は上記の点に鑑みなされたものであって、横筋が左右型枠間の中心からずれていたとしても、このずれを修正しながら保持することができ、加えて鉄筋の位置調整具による鉄筋の保持作業を行う際に、間をあけずにこれと併せて一緒にコンクリート表面の水平出しを行うことができるようになした鉄筋の位置調整具を提供しようとするものである。
【００１０】
而して、本考案の要旨とするところは、所要の長さ、幅並びに高さを有する板状の部材からなり、長さ方向における型枠内面に接触する側の面を、上面に対して直角になすと共に、長さ方向における鉄筋における横筋に接触する側の面を、上面に比して下面の長さが短くなるよう、所要角度に傾斜させてなるコンクリート打設時の鉄筋の位置調整具にある。
【００１１】
また、上記構成において、上面の適宜の位置に、上面と直角に、所要の長さを有するコンクリートレベル出し具を高さ調整可能に装着するようになしてもよい。
【００１２】
また、上記構成において、幅方向に貫通する穴を所要数設けるようになしてもよい。
【考案の効果】
【００１３】
本考案は上記の如き構成であるから、横筋が左右型枠間の中心からずれていたとしても、このずれを修正しながら保持することができるものである。また、左右の型枠の夫々と横筋との間に上方又は下方から叩いて割り込ませるだけで済むから、作業も迅速に行うことができる。また、製作も容易であるから、低コストで安上がりで済むものである。加えて、上面にコンクリートレベル出し具を装着した場合には、鉄筋の位置調整具による鉄筋の保持作業を行う際に、間をあけずにこれと併せて一緒にコンクリート表面の水平出しを行うことができるものである。したがって、作業能率を大幅に向上させることができるものである。また、螺子をもってコンクリートレベル出し具とすることによって低コストでの製作が可能となるものである。尚、鉄筋の位置調整具へのコンクリートレベル出し具の装着は、この螺子の螺装に限定されるものではなく、種々のものが採用可能である。
【図面の簡単な説明】
【００１４】
【図１】本考案に係るコンクリート打設時の鉄筋の位置調整具の斜視図である。
【図２】同一部断面で示した正面図である。
【図３】同使用例を説明する縦断面図である。
【図４】同他の使用例を説明する縦断面図である。
【図５】図４に示した使用例の部分拡大斜視図である。
【考案を実施するための形態】
【００１５】
以下、本考案を実施するための形態について、図面を参照して説明する。
【００１６】
図中、１は鉄筋の位置調整具である。また、該鉄筋の位置調整具１は、所要の長さＬ、幅Ｗ並びに高さＨを有する板状の部材１Ａからなり、長さ方向における型枠内面に接触する側の面１ａを、上面１ｃに対して直角になすと共に、長さ方向における鉄筋における横筋に接触する側の面１ｂを、上面１ｃに比して下面１ｄの長さが短くなるよう、所要角度θに傾斜させてなるものである。
【００１７】
また、前記板状の部材１Ａは、本実施形態では低コストで済むように天然木からなる板材を用いているが、プラスチックその他の材料を用いるようにしてもよい。
【００１８】
また、前記長さＬは、型枠と横筋との間隔に応じて適宜に決定される。また、前記幅Ｗ及び高さＨは、鉄筋の位置調整具１を型枠と横筋との間に上方又は下方から叩いて割り込ませるときに、幅方向及び高さ方向に傾くことなく、型枠内面に接触する側の面１ａを型枠内面に密着したまま真っ直ぐにずらすことができる程度の寸法であり、本実施形態では幅Ｗを約２ｃｍ、高さＨを約１０ｃｍ、傾斜角度θを約１５度としている。
【００１９】
また、本実施形態では、幅方向に貫通する穴２、２、２・・・を８個設けている。該穴２、２、２・・・は左右型枠間にコンクリートを打設したときにおいて、該コンクリートの流動を妨げないようにするためのものであり、その数は本実施形態に限定されることなく、適宜に決定される。
【００２０】
更にまた、本実施形態では、上面１ｃの適宜の位置に、上面１ｃと直角に、所要の長さを有するコンクリートレベル出し具３を高さ調整可能に螺装している。
【００２１】
更に具体的には、鉄筋の位置調整具１の上面１ｃからこれに直角に螺子からなるコンクリートレベル出し具３をネジ込み、これの螺入、螺脱方向へのネジ回しによってその高さを調整するものである。尚、本実施形態では鉄筋の位置調整具１が天然木からなる板材で、柔らかい材質であることから、螺子からなるコンクリートレベル出し具３を直接ネジ込むことによって取り付けているが、それ以外の硬い材質のもの、例えばプラスチックからなるものの場合には、予め上面１ｃから直角に所要の長さの雌ネジを設けておくことが望ましい。また、その他、図面中４、５は左右の型枠、６は鉄筋における縦筋、７は横筋、８はアンカーボルトを示す。
【００２２】
次に、本考案の使用方法について説明する。
上記鉄筋の位置調整具１は、図５に示す如く、横筋７に対して順次千鳥状に配するものであり、そして左右の型枠４、５の夫々と横筋７との間に上方又は下方から叩いて割り込ませるものである。これにより、図３に示す如く、横筋７の位置が左右の型枠４、５間の中心からずれていたとしても、横筋７を挟んだ両側に位置する鉄筋の位置調整具１、１を叩いて割り込ませるときに、該横筋７に接触する面１ｂが傾斜面となっていることから、このずれは修正される。そして、これら横筋７の両側に位置する鉄筋の位置調整具１、１を、略等しい深さに、即ち夫々の上面１ｃが揃うように左右の型枠４、５の夫々と横筋７との間に割り込ませると、横筋７を左右の型枠４、５間の中心に位置させた状態で保持することができるものである。即ち、図３において左右の型枠４、５の夫々と横筋７の中心との間隔Ｓ、Ｓは等しくなる。
【００２３】
そしてまた、上記の如く左右の型枠４、５の夫々と横筋７との間に鉄筋の位置調整具１を割り込ませるとき、用いる鉄筋の位置調整具１の全てのコンクリートレベル出し具３を予め同じ長さに設定しておけば、鉄筋保持作業と併せてコンクリート表面の水平出しを行うことができる。尚、この水平出しは、鉄筋の位置調整具１による保持を全て終了した後で、夫々のコンクリートレベル出し具３の高さを揃えるようにして行ってもよい。
【００２４】
また、図３に示した例は横筋７を左右の型枠４、５間の中心に位置させた状態で保持する場合であり、斯かる場合には用いる全ての鉄筋の位置調整具１の長さが同一であるが、図４及び図５に示したアンカーボルト８を用いる場合の例においては、鉄筋の位置調整具１の長さを横筋７を挟んだ両側のものにおいて異ならしめている。尚、その使用方法等においては図３に示した例と同様である。
【符号の説明】
【００２５】
１  鉄筋の位置調整具
１Ａ  板状の部材
１ａ  型枠内面に接触する側の面
１ｂ  横筋に接触する側の面
１ｃ  上面
１ｄ  下面
２、２  幅方向に貫通する穴
３  コンクリートレベル出し具
４、５  左右の型枠
６  縦筋
７  横筋
８  アンカーボルト
【図１】
0003159371.tif 000003
【図２】
0003159371.tif 000004
【図３】
0003159371.tif 000005
【図４】
0003159371.tif 000006
【図５】
0003159371.tif 000007
【手続補正書】
【提出日】平成22年3月4日(2010.3.4)
【手続補正１】
【補正対象書類名】実用新案登録請求の範囲
【補正対象項目名】請求項２
【補正方法】変更
【補正の内容】
【請求項２】
上面の適宜の位置に、上面と直角に、所要の長さを有する螺子からなるコンクリートレベル出し具をネジ込み、これの螺入、螺脱方向へのネジ回しによってその高さを調整するようになした請求項１記載のコンクリート打設時の鉄筋の位置調整具。
【手続補正２】
【補正対象書類名】明細書
【補正対象項目名】０００４
【補正方法】変更
【補正の内容】
【０００４】
このようなことから、水平クラックの発生を防止するためには、コンクリートの被り厚をできるだけ大きくする必要があり、そして横筋を左右型枠間の中心に位置させるようにすれば、横筋の左右のコンクリートの被り厚を均等にすることができ、然も夫々最大の被り厚とすることができるものである。尚、アンカーボルトを埋め込む場合においては、これは不可能であるが、その場合でも極力中心に近い位置に位置させることが望ましい。
【手続補正３】
【補正対象書類名】明細書
【補正対象項目名】００１１
【補正方法】変更
【補正の内容】
【００１１】
また、上記構成において、上面の適宜の位置に、上面と直角に、所要の長さを有する螺子からなるコンクリートレベル出し具をネジ込み、これの螺入、螺脱方向へのネジ回しによってその高さを調整するようになしてもい。
【手続補正書】
【提出日】平成22年3月4日(2010.3.4)
【手続補正１】
【補正対象書類名】明細書
【補正対象項目名】００１１
【補正方法】変更
【補正の内容】
【００１１】
また、上記構成において、上面の適宜の位置に、上面と直角に、所要の長さを有する螺子からなるコンクリートレベル出し具をネジ込み、これの螺入、螺脱方向へのネジ回しによってその高さを調整するようになしてもよい。